(57)【特許請求の範囲】
【請求項１】
商品毎に一般売価と会員売価とを設定できる商品ファイルを設け、登録モードでお客に応じた売価で商品登録を行うキャッシュレジスタにおいて、
売価等を表示する表示器と、
売価確認を宣言する確認宣言キーと、
前記登録モードで前記売価確認宣言後に商品登録操作を行うと前記商品ファイルから商品情報を呼び出し、売価が１つだけ設定されている場合は前記表示器の第１の表示フォーマットで売価を表示し、複数の売価が設定されている場合は前記表示器に売価を表示する為の欄が複数設けられた第２の表示フォーマットで複数の売価と各売価の種類情報とを表示する確認表示手段とを備えたことを特徴とするキャッシュレジスタ。
【請求項２】
前記第２の表示フォーマットで表示する売価と売価の種類情報とは第１のフォーマットで表示する場合よりも表示文字の大きさを小さくしたことを特徴とする請求項１に記載のキャッシュレジスタ。
【請求項３】
会員の購入実績に応じて会員をランク付けし、このランクに応じて会員売価を複数設けたことを特徴とする請求項１または２に記載のキャッシュレジスタ。
【請求項４】
キー操作に応じて多数の売価を切り替えて表示することを特徴とする請求項１ないし３のいずれかに記載のキャッシュレジスタ。
【発明の詳細な説明】
【０００１】
【発明の属する技術分野】
この発明は、買い上げ商品の登録を行うキャッシュレジスタに関し、特に商品の売価がいくらに設定されているかを登録モードで確認する技術に関する。
【０００２】
【従来の技術】
最近では、お店の固定客確保のために各顧客を会員として登録し、顧客管理を行って会員に対しては一般売価より安い価格を設定している場合がある。そして会員が前記商品を買い上げると、キャッシュレジスタでは会員用の売価を採用して買い上げ商品の登録を行うようになっている。
【０００３】
【発明が解決しようとする課題】
ところが上述の方法では、お客は陳列されている商品の売価がわからず、キャッシュレジスタを扱う店員にその商品の売価を聞く、という場合がしばしばある。
同じ商品であっても売価が複数設定されている場合では、店員が全ての売価を正確に把握できるとは限らない。また、キャッシュレジスタを操作すれば他のお客の買い上げ商品登録中であっても確認用に売価を表示できるものはあるが、一般売価についてしか確認できないため、会員用の売価については対応できないという課題があった。
【０００４】
本発明はこのような背景の下になされたもので、商品毎に複数の売価を設定でき、会員ランク毎の売価を表示することができるキャッシュレジスタを提供することを目的とする。
【０００５】
【課題を解決するための手段】
請求項１に記載の発明は、商品毎に一般売価と会員売価とを設定できる商品ファイルを設け、登録モードでお客に応じた売価で商品登録を行うキャッシュレジスタにおいて、売価等を表示する表示器と、売価確認を宣言する確認宣言キーと、前記登録モードで前記売価確認宣言後に商品登録操作を行うと前記商品ファイルから商品情報を呼び出し、売価が１つだけ設定されている場合は前記表示器の第１の表示フォーマットで売価を表示し、複数の売価が設定されている場合は前記表示器に売価を表示する為の欄が複数設けられた第２の表示フォーマットで複数の売価と各売価の種類情報とを表示する確認表示手段とを備えたことを特徴とするキャッシュレジスタを提供する。
【０００６】
請求項２に記載の発明は、請求項１に記載のキャッシュレジスタにおいて、
前記第２の表示フォーマットで表示する売価と売価の種類情報とは第１のフォーマットで表示する場合よりも表示文字の大きさを小さくしたことを特徴とする。
【０００７】
請求項３に記載の発明は、請求項１または２に記載のキャッシュレジスタにおいて、
会員の購入実績に応じて会員をランク付けし、このランクに応じて会員売価を複数設けたことを特徴とする。
【０００８】
また請求項４に記載の発明は、請求項１ないし３のいずれかに記載のキャッシュレジスタにおいて、
キー操作に応じて多数の売価を切り替えて表示することを特徴とする。
【０００９】
【発明の実施の形態】
以下、この発明の一実施形態について図を参照しながら説明する。図１は、本発明の一実施の形態によるキャッシュレジスタの外観図である。
この図において、レシート発行口１はキャッシュレジスタの正面右側に設けられたもので、奥にレシート・ジャーナル印字部（図示せず）が設けられている。キー操作部２は、テンキー、金額キー２ａ、入金、支払、釣準備、売上回収等の各種締めキー、商品登録に関する各キー、クリアキー等が設けられている。
【００１０】
液晶タッチパネル３は、キー操作部２の上側に設けられたもので、各種表示が行え、液晶表示を見ながら店員がタッチすることによって、登録モードや設定モード等のモード切り換えやプリセットキーによる商品登録や、各種ファイル設定等を行うことができる。客側表示部４は、顧客に対して買い上げ金額、釣り銭の金額等を表示する。
また、符号７は自動釣銭機であるが説明を省略する。
【００１１】
図２は、上述のキャッシュレジスタの制御回路ブロック図である。この図においてＣＰＵ２１は、ＲＯＭ２２、ＲＡＭ２３とともにコンピュータを形成している。ＲＯＭ２２には予め制御プログラムが書き込まれており、このプログラムに従ってＣＰＵ２１が各部を制御する。
ＲＡＭ２３は一時記憶エリアで、制御用の入力データの記憶や、各種設定ファイルの記憶場所として使用される。レシート・ジャーナル印字部１ａはレシート発行口１の奥に配設され、顧客に渡すレシートや店舗側で売上管理や消費税の納税額管理等に用いるジャーナルの印字を行う。キー操作部２、液晶タッチパネル３は上述の図１で説明した機能を持っている。
【００１２】
シリアル通信部２５は、自動釣銭機７とキャッシュレジスタとの通信を確保する。報知手段２８は、正常な入金操作が行われない場合にその旨を店員に通知する。ＣＰＵ２１は、ＲＯＭ２２に記録された制御プログラムであるキー制御機能と記録機能を有している。
ここで、キー制御機能は、置数操作後に金額キー２ａが操作された場合に、置数値と合計金額から入金額を求めて、この際釣銭が必要な時は自動釣銭機７へ出金指示を出す等である。
記録機能は、レシート・ジャーナル印字部を用いて理論在高金額と精算操作終了後に入力した収納金額情報に基づいた、正常な入金操作が行われたか否かがわかる情報を記録するものである。
【００１３】
図３はＲＡＭ２３のメモリマップの一例を示す説明図である。この図のメモリマップには、ワークエリア３１、キーファイル３２、会員ファイル３３、ＰＬＵファイル３４等が含まれる。
ワークエリア３１は、フラグ、レジスタ等を有するもので、計算等を行うためのエリアである。キーファイル３２は、各キーに機能を割り付けるファイルで、プリセットキーのデータ設定も行う。
【００１４】
会員ファイル３３は、会員毎の会員情報を設定する。会員は買い上げ実績が一番多いＳ会員から買い上げ実績の減少に従ってＡ、Ｂ、Ｃ、Ｄ、単なる会員の６段階にランク付けしてある。
ＰＬＵファイル３４の内容は、図４に示すように品名に対応するＰＬＵ番号と一般客および上述の会員のランク毎の売価が記憶されている。
Ｓ会員が買い上げ実績額が一番多く、Ａ、Ｂ、Ｃ、Ｄ、単なる会員の順になっており、買い上げ実績額が一番多いＳ会員への売価が一番安く、買い上げ実績が少なくなるにつれて売価が上昇するように設定されている。
【００１５】
図５は液晶タッチパネル３の表示画面であり、商品登録を行うときの画面を表している。ただし、登録データの点数は登録した数の値となる。この画面の最上段は、登録した商品の品名、買い上げ値段（品名値段欄）と点数、扱者を表示し、その下に縦５段、横６段の品名のプリセットキーが配置され、画面の右端には５頁分の頁切替キーが配置されている。
【００１６】
このような画面構成の液晶タッチパネル３をもつキャッシュレジスタの動作の概略を図６のフローチャートおよび図５、図７、図８の表示画面を参照して説明する。
図６のステップＳ１（以下、単にＳ１等とする）において、登録モードか否かを判断し、登録モードでなかったときはＳ５に移行して他の処理を行う。例えば、設定モードであれば、ＰＬＵファイルのデータ設定等を行ってＳ１に戻る。
【００１７】
登録モードのときは処理をＳ２に移し、置数なしで金額キーが操作されたか否かを判断する。この判断は、売価確認宣言が行われたか否かを判断するものである。置数後の金額キー操作であれば、商品登録の際の金額データ入力となる。
すなわち、Ｓ２における判断がＹＥＳだと図５の表示画面の品名値段欄は反転表示して売価確認のモードとなる。
Ｓ２における判断がＮＯであれば、Ｓ３において商品登録操作が行われたものであるか否かを判断し、ＹＥＳであればＳ４において登録処理を行ってＳ１に戻る。
Ｓ３における判断がＮＯであれば、Ｓ５で登録モードにおける他の処理を行ってＳ１に戻る。
【００１８】
Ｓ６は、Ｓ２における判断がＹＥＳだったときに行う処理でプリセットキーを操作するか、あるいはキャッシュレジスタに接続した不図示のバーコードスキャナによって商品のバーコードをスキャンした等により商品の登録操作（商品指定操作、実際にはＰＬＵ番号を入力するものであればよい。）が行われたか否かを判断し、ＮＯであればＹＥＳになるまで操作を繰り返し、ＹＥＳになるとＳ７において入力されたＰＬＵ番号に基づいてＰＬＵファイルから該当するＰＬＵデータ（商品データ）を読み出す。
【００１９】
次にＳ８において、ＰＬＵデータの一般売価以外の売価（会員、Ｓ、Ａ、Ｂ、Ｃ、Ｄの欄）にゼロ以外の有効データが設定されているか否かを判断することによって複数売価が設定されているか否かを判断し、ＮＯであればＳ９で図５の表示画面のように第１の表示フォーマットで品名値段欄に読み出したＰＬＵデータのうちの品名と値段（一般売価）を１つずつ反転して表示する。点数はゼロのままである。
【００２０】
Ｓ１０において、店員が商品の売価の確認が終わって操作する金額キー、またはクリアキーが押されたか否かを判断し、ＮＯであれば他の商品の売価確認を行うためにＳ６に戻り、ＹＥＳならＳ１５の処理に移行する。Ｓ８での判断がＹＥＳだったときは、Ｓ１１において図７に示した表示画面のように、第２のフォーマットで読み出したＰＬＵデータの内の品名を品名欄にＰＬＵデータの売価として設定されている一般売価、会員売価、Ｓ会員売価、Ａ会員売価の４つの売価をそれぞれの欄に各売価の種類情報とともに反転表示する。
【００２１】
Ｓ１２では、金額キーが再び操作されたか否かを判断し、ＹＥＳだとＳ１３において第２の表示フォーマットでＰＬＵデータのうちの残りの売価としてＢ、Ｃ、Ｄ各会員の売価を図８に示した表示画面のように反転表示してＳ１０に処理を移す。Ｓ１２がＮＯならば、Ｓ１４でクリアキーが操作されたか否かを判断し、結果がＮＯのときはＳ１２に戻り、ＹＥＳのときはＳ１５に移る。
Ｓ１５では、売価確認モードを終了させて品名値段欄をクリアし、Ｓ１に戻る。
【００２２】
以上、本発明の一実施形態の動作を図面を参照して詳述してきたが、本発明はこの実施形態に限られるものではなく、本発明の要旨を逸脱しない範囲の設計変更等があっても本発明に含まれる。
例えば、以下のような場合も本発明に含まれる。
【００２３】
ａ．売価確認表示で品名値段欄は、単一売価と複数売価とで大きさを異ならせてもよい。
あるいは、表示面積と文字の大きさは同じであっても、キー操作によって売価を１つずつ種類情報とともに切り替えて表示するようにしてもよい。つまり、売価の設定数が１つのときと複数のときとで、少なくとも売価の種類情報の有無というフォーマットの違いがあればよい。
【００２４】
ｂ．売価確認表示を客側表示部に行うようにしてもよい。ただし、売価の種類情報を表示できる表示器とする必要がある。
【００２５】
ｃ．複数売価設定は、会員の場合に限らず、まとめ買いや特売等のような場合にも適用できる。
【００２６】
ｄ．重量あたりの単価を表示する料金秤のような登録装置にも適用できる。
【００２７】
【発明の効果】
これまでに説明したように、請求項１の発明によれば、
複数の売価が設定された商品であっても容易に全ての売価を確認できる。しかも、設定されている売価の数によって売価を確認表示する表示フォーマットを変更するため見やすくなり、確認作業をさらに容易にできる。
【００２８】
請求項２の発明によれば、
複数の売価を表示しても比較的狭い表示面積で済ますことができる。
【００２９】
請求項３の発明によれば、
会員のランクに応じた会員売価では多くの売価を表示する必要があるが、表示フォーマットを異ならせることにより、容易に対応できる。
【００３０】
また、請求項４の発明によれば、
キー操作に応じて多数の売価を切り替えて表示するため、表示面積を比較的小さくでき、しかも充分に売価の確認ができる。
【図面の簡単な説明】
【図１】本発明の一実施の形態によるキャッシュレジスタの外観図。
【図２】図１のキャッシュレジスタの制御回路ブロック図。
【図３】ＲＡＭのメモリマップの一例を示す説明図。
【図４】ＰＬＵファイルの内容を説明するための図。
【図５】商品登録を行うときの液晶タッチパネル表示画面を示す図。
【図６】本発明の一実施形態によるキャッシュレジスタの動作を説明するフローチャート。
【図７】商品登録を行うときの液晶タッチパネル表示画面を示す図。
【図８】商品登録を行うときの液晶タッチパネル表示画面を示す図。
【符号の説明】
１…レシート発行口
１ａ…レシート・ジャーナル印字部
２…キー操作部
２ａ…金額キー
３…液晶タッチパネル
４…客側表示部
７…自動釣銭機
８…紙幣払出部
９…コイン払出口
１０…紙幣入口
１１…コイン投入口
２１…ＣＰＵ
２２…ＲＯＭ
２３…ＲＡＭ
２５…シリアル通信部
２８…報知手段
【図１】
0003565126.tif 000002
【図２】
0003565126.tif 000003
【図３】
0003565126.tif 000004
【図４】
0003565126.tif 000005
【図５】
0003565126.tif 000006
【図６】
0003565126.tif 000007
【図７】
0003565126.tif 000008
【図８】
0003565126.tif 000009